【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
デジタルカメラと通信手段を介してダイレクトに通信し、前記デジタルカメラがプリント指示のためのユーザインターフェース装置として利用されて、前記デジタルカメラが装着するメモリに格納されている撮像画像を印刷するプリント装置であって、
前記通信手段で前記デジタルカメラと通信を開始したことに応じて、当該デジタルカメラがダイレクトプリント機能を有するデバイスであるか否かを認証するため、前記デジタルカメラが所有している情報を要求する要求手段と、
該要求手段による要求の結果、前記デジタルカメラからダイレクト印刷機能を有することを示す認証情報を受信した後で、プリント装置自身がダイレクト印刷機能を有することを示す認証情報を通知する通知手段と
を備えることを特徴とするプリント装置。
【請求項２】
前記要求手段は、前記デジタルカメラが所有している情報のうち、スクリプト属性の情報の内容を要求することを特徴とする請求項１に記載のプリント装置。
【請求項３】
前記要求手段及び通知手段は、ＵＳＢインターフェースにおけるＰＴＰプロトコルで行われることを特徴とする請求項１又は２に記載のプリント装置。
【請求項４】
更に、前記通知手段による通知後、前記プリント装置は、前記ＰＴＰの上位レイヤに実装される、ダイレクトプリント専用のプロトコルを用いてデジタルカメラと通信することを特徴とする請求項３に記載のプリント装置。
【請求項５】
前記プリント装置は、ＵＳＢインターフェースにおいてホストデバイスとなることを特徴とする請求項１乃至４のいずれか１項に記載のプリント装置。
【請求項６】
デジタルカメラを汎用の通信手段を介してダイレクトに接続し、前記デジタルカメラがプリント指示のためのユーザインターフェース装置として利用され、前記デジタルカメラ装着するメモリに格納されている撮像画像を印刷するプリント装置の制御方法であって、
前記通信手段で前記デジタルカメラと通信を開始したことに応じて、当該デジタルカメラがダイレクトプリント機能を有するデバイスであるか否かを認証するため、接続中の前記デジタルカメラが所有している情報を要求する要求工程と、
該要求工程による要求の結果、前記デジタルカメラからダイレクト印刷機能を有することを示す認証情報を受信した後で、プリント装置自身がダイレクト印刷機能を有することを示す認証情報を通知する通知工程を有し、
を備えることを特徴とするプリント装置の制御方法。
【請求項７】
前記要求工程は、前記デジタルカメラが所有している情報のうち、スクリプト属性の情報の内容を要求することを特徴とする請求項６に記載のプリント装置の制御方法。
【請求項８】
前記要求工程及び通知工程は、ＵＳＢインターフェースにおけるＰＴＰプロトコルで行われることを特徴とする請求項６又は７に記載のプリント装置の制御方法。
【請求項９】
更に、前記通知工程による通知後、前記プリント装置は、前記ＰＴＰの上位レイヤに実装される、ダイレクトプリント専用のプロトコルを用いてデジタルカメラと通信することを特徴とする請求項７に記載のプリント装置の制御方法。
【請求項１０】
前記プリント装置がＵＳＢインターフェースにおいてホストデバイスとなることを特徴とする請求項６乃至９のいずれか１項に記載のプリント装置の制御方法。
【請求項１１】
撮像手段で撮像した画像を記憶媒体に記憶させると共に、プリント装置と通信して画像の印刷を指示するためのユーザインタフェースを備えるデジタルカメラ装置であって、
前記通信手段で前記プリント装置と通信を開始したことに応じて、通信中の前記プリント装置からデジタルカメラ装置が所有している情報の送信要求を受信する第１の受信手段と、
該第１の受信手段で前記要求を受信した後、ダイレクトプリント機能を有することを示す認証情報を前記プリント装置に送信する送信手段と、
該送信手段の送信後、前記プリント装置から情報を受信する第２の受信手段と、
該第２の受信手段で受信した情報に、ダイレクトプリント機能を有することを示す認証情報が記述されている場合、前記プリント装置がダイレクトプリント機能を有するとして認識する認識手段と
を備えることを特徴とするデジタルカメラ装置。
【請求項１２】
前記第１の受信手段は、前記デジタルカメラが所有している情報のうち、スクリプト属性の情報の内容を要求することを特徴とする請求項１１に記載のデジタルカメラ装置。
【請求項１３】
第１、第２の受信手段、及び送信手段は、ＵＳＢインターフェースにおけるＰＴＰプロトコルを用いて行われることを特徴とする請求項１１又は１２に記載のデジタルカメラ装置。
【請求項１４】
更に、前記認識手段で、ダイレクトプリント機能を有するプリント装置の接続を認識した後、前記ＰＴＰプロトコルの通信レイヤよりも上位レイヤに実装される、ダイレクトプリント用のプロトコルを用いてプリント装置と通信することを特徴とする請求項１１乃至１３の何れか１項に記載のデジタルカメラ装置。
【請求項１５】
前記デジタルカメラ装置は、ＵＳＢインターフェースにおいてスレーブデバイスとなることを特徴とする請求項１１乃至１４のいずれか１項に記載のデジタルカメラ装置。
【請求項１６】
撮像手段で撮像した画像を記憶媒体に記憶させると共に、プリント装置と通信して画像の印刷を指示するためのユーザインターフェースを備えるデジタルカメラ装置の制御方法であって、
前記通信手段で前記プリント装置と通信を開始したことに応じて、通信中の前記プリント装置からデジタルカメラ装置が所有している情報の送信要求を受信する第１の受信工程と、
該第１の受信工程で前記要求を受信した後、ダイレクトプリント機能を有することを示す認証情報を前記プリント装置に送信する送信工程と、
該送信工程の送信後、前記プリント装置から情報を受信する第２の受信工程と、
該第２の受信工程で受信した情報に、ダイレクトプリント機能を有することを示す認証情報が記述されている場合、前記プリント装置がダイレクトプリント機能を有するとして認識する認識工程と
を備えることを特徴とするデジタルカメラ装置の制御方法。
【請求項１７】
前記第１の受信工程は、前記デジタルカメラ装置が所有している情報のうち、スクリプト属性の情報の内容を要求することを特徴とする請求項１６に記載のデジタルカメラ装置の制御方法。
【請求項１８】
第１、第２の受信工程、及び送信工程は、ＵＳＢインターフェースにおけるＰＴＰプロトコルを用いて行われることを特徴とする請求項１６又は１７に記載のデジタルカメラ装置の制御方法。
【請求項１９】
更に、前記認識工程で、ダイレクトプリント機能を有するプリント装置の接続を認識した後、前記ＰＴＰプロトコルの通信レイヤよりも上位レイヤに実装される、ダイレクトプリント用のプロトコルを用いてプリント装置と通信することを特徴とする請求項１６乃至１８の何れか１項に記載のデジタルカメラ装置の制御方法。
【請求項２０】
前記デジタルカメラ装置がＵＳＢインターフェースにおいてスレーブデバイスとなることを特徴とする請求項１６乃至１９のいずれか１項に記載のデジタルカメラ装置の制御方法。
【請求項２１】
撮像手段で撮像した画像を所定の記憶媒体に記憶すると共に、プリンタ装置と通信して画像の印刷を指示するためのユーザインターフェースを備えるデジタルカメラ装置と、通信手段を介して前記デジタルカメラ装置から受信した画像を前記プリンタ装置で印刷するプリントシステムであって、
前記プリンタ装置は、
前記通信手段で前記デジタルカメラ装置と通信を開始したことに応じて、当該デジタルカメラがダイレクトプリント機能を有するデバイスであるか否かを認証するため、前記デジタルカメラが所有している情報を要求する要求手段と、
該要求手段による要求の結果、前記デジタルカメラからダイレクト印刷機能を有することを示す認証情報を受信した後で、プリント装置自身がダイレクト印刷機能を有することを示す認証情報を通知する通知手段を有し、
前記デジタルカメラ装置は、
前記通信手段で前記プリント装置と通信を開始したことに応じて、通信中の前記プリント装置からデジタルカメラ装置が所有している情報の送信要求を受信する第１の受信手段と、
該第１の受信手段で前記要求を受信した後、ダイレクトプリント機能を有することを示す認証情報を前記プリント装置に送信する送信手段と、
該送信手段の送信後、前記プリント装置から情報を受信する第２の受信手段と、
該第２の受信手段で受信した情報に、ダイレクトプリント機能を有することを示す認証情報が記述されている場合、前記プリント装置がダイレクトプリント機能を有するとして認識する認識手段とを有する
ことを特徴とするプリントシステム。
【請求項２２】
画像供給装置と通信手段を介してダイレクトに通信し、前記画像供給装置がプリント指示のためのユーザインタフェース装置として利用されて、前記画像供給装置が装着するメモリに格納されている撮像画像を印刷するプリント装置であって、
前記通信手段で前記画像供給装置と通信を開始したことに応じて、当該画像供給装置がダイレクトプリント機能を有するデバイスであるか否かを認証するため、前記画像供給装置が所有している情報を要求する要求手段と、
該要求手段による要求の結果、前記画像供給装置からダイレクト印刷機能を有することを示す認証情報を受信した後で、プリント装置自身がダイレクト印刷機能を有することを示す認証情報を通知する通知手段と
有することを特徴とするプリント装置。
【請求項２３】
装着するメモリに格納されている画像を印刷するためにプリント装置と通信して画像の印刷を指示するためのユーザインタフェースを備える画像供給装置であって、
前記通信手段で前記プリント装置と通信を開始したことに応じて、通信中の前記プリント装置から画像供給装置が所有している情報の送信要求を受信する第１の受信手段と、
該第１の受信手段で前記要求を受信した後、ダイレクトプリント機能を有することを示す認証情報を前記プリント装置に送信する送信手段と、
該送信手段の送信後、前記プリント装置から情報を受信する第２の受信手段と、
該第２の受信手段で受信した情報に、ダイレクトプリント機能を有することを示す認証情報が記述されている場合、前記プリント装置がダイレクトプリント機能を有するとして認識する認識手段と
を備えることを特徴とする画像供給装置。
【手続補正２】
【補正対象書類名】明細書
【補正対象項目名】００１１
【補正方法】変更
【補正の内容】
【００１１】
かかる課題を解決するため、例えば本発明のプリント装置は以下の構成を備える。すなわち、
デジタルカメラと通信手段を介してダイレクトに通信し、前記デジタルカメラがプリント指示のためのユーザインターフェース装置として利用されて、前記デジタルカメラが装着するメモリに格納されている撮像画像を印刷するプリント装置であって、
前記通信手段で前記デジタルカメラと通信を開始したことに応じて、当該デジタルカメラがダイレクトプリント機能を有するデバイスであるか否かを認証するため、前記デジタルカメラが所有している情報を要求する要求手段と、
該要求手段による要求の結果、前記デジタルカメラからダイレクト印刷機能を有することを示す認証情報を受信した後で、プリント装置自身がダイレクト印刷機能を有することを示す認証情報を通知する通知手段とを備えることを特徴とする。